(57)【特許請求の範囲】
【請求項１】
屋根の巻きはぜ部分を挟持する２個の挟持体と、一方の挟持体に装着される雪止め板と、対向する挟持体を貫通挟圧するボルト及びナットからなり、両挟持体は、前後下縁を対向挟持体側に突出させた挟持突縁と、前後挟持突縁の間の下縁部分を両側外方に延設して形成した安定板と、前記前後挟持突縁の上方位置に穿設したボルト孔とを備え、一方の挟持体の上縁部分は、挟持支点を確保できるように対向側に折曲して上縁突出部を形成し、他方の挟持体には、前記上縁突出部の上方位置で、一端を開口した長溝としたアングル装着部と、雪止め板装着部とを設け、雪止め板は、雪止め板部と、雪止め板部の背後に、前記雪止め板装着部に着脱装着可能と設けた連結部とを備えてなることを特徴とする屋根用雪止め金具。
【請求項２】
アングル装着部を、挟持体の端縁部から長溝を形成すると共に、長溝底縁に添って載せ板部を設けて形成し、雪止め板装着部を、挟持体の上縁を載せ板部の上方に張り出すように設けた上板部と、上板部の前後端近傍に装着孔とを備え、雪止め板は雪止め板部と、雪止め板部の背後に突設して前記上板部の装着孔に装着可能とした連結部とを備えてなる請求項１記載の屋根用雪止め金具。
【請求項３】
雪止め板の連結部を、雪止め板部の上縁から背後に折曲し、上板部を被覆する伏せ箱形状に形成してなる請求項２記載の屋根用雪止め金具。
【発明の詳細な説明】
【０００１】
【産業上の利用分野】
本発明は、主として、薄金属板の屋根板を峰から裾方向に巻きハゼ継合する所謂縦平葺き長尺屋根に使用する雪止め金具に関するものである。
【０００２】
【従来技術及び発明が解決しようとする課題】
縦平葺き長尺屋根用の雪止め金具は、実開昭５７−１６８６３３２公報に開示されているとおり、基本的には巻きハゼ突条を挟持する挟持体と前記挟持体に装着し雪止め板から構成されている。また縦平葺き屋根に限らず、屋根の巻きハゼ部を挟持して固定する挟持体に雪止めアングル装着部（嵌合溝）を設けた金具も知られている（例えば実開昭５７−１７４６３１号公報）。
【０００３】
ところで従前の屋根用雪止め金具は、雪止めとして作用するために、前記したような金具自体に雪止め板を備えるか、或いは雪止めアングルを装着可能にしている。そして通常は何れか一方を使用するので、当該金具は何れか一方の構造を備えている。従って同一金具を使用して、雪止めアングルや、雪止め板の選択装着は行われていない。勿論雪止め板を備えた金具において、挟持体に上方開口のアングル装着溝を備えることも可能であるが、雪止め板が装着した状態でのアングル装着となり二重装着で、無駄なことを実施することになる。
【０００４】
特に縦平葺き屋根に装着する金具は、挟持対象が細幅の突条であるために、雪止め板を使用する金具は、雪止め板部分で安定性を確保しており、雪止めアングル使用金具の場合には、金具本体に安定手段を施す必要がある。このため縦平葺き屋根用の金具は、特に雪止め板か雪止めアングルの両方の装着を可能とする金具は全く考慮されていなかったし、部材の共通化が実現できていなかった。
【０００５】
そして工事途中で設計変更等によって、雪止め板を装着した金具の採用から、雪止めアングルを使用することに変更しなければならない事態や、又はその逆の必要が生じた場合には、屋根に装着した金具を全て取り外して再度の工事が必要となる。
【０００６】
そこで本発明は、雪止め板と雪止めアングルの選択装着が可能な新規な雪止め金具を提案したものである。
【０００７】
【課題を解決する手段】
本発明に係る屋根用雪止め金具は、屋根の巻きはぜ部分を挟持する２個の挟持体と、雪止め板と、対向する挟持体を貫通挟圧するボルト及びナットからなり、両挟持体は、前後下縁を対向挟持体側に突出させた挟持突縁と、前後挟持突縁の間の下縁部分を両側外方に延設して形成した安定板と、前記前後挟持突縁の上方位置に穿設したボルト孔とを備え、一方の挟持体の上縁部分は、挟持支点を確保できるように対向側に折曲して上縁突出部を形成し、他方の挟持体には、前記上縁突出部の上方位置で、一端を開口した長溝としたアングル装着部と、雪止め板装着部とを設け、雪止め板は、雪止め板部と、雪止め板部の背後に、前記雪止め板装着部に着脱装着可能に設けた連結部とを備えてなることを特徴とするものである。
【０００８】
従って挟持体で屋根巻きハゼ部分を挟持して金具を固定した状態で、雪止めアングル又は雪止め板のいずれかを選択して装着することができる。
【０００９】
【実施の形態】
次に本発明の実施形態について説明する。
実施形態に示した雪止め金具は、２個の挟持体１ａ，１ｂと、雪止め板２と、貫通ボルト３と、緊締ナット４と、止着ボルト５とで構成される。
【００１０】
両挟持体１ａ，１ｂは、細長板状の本体１１の下縁の中間部分を残した前後部分を、対向する挟持体側に突出させた挟持突縁１２を設け、更に前記の挟持突縁１２の中間部分を両側外方に延設して安定板１３を形成し、前後の挟持突縁１２の上方位置にボルト孔１４を穿設してなる。
【００１１】
特に一方の挟持体１ａは、上縁部分を対向側に向かって折曲して上縁突出部１５を形成したもので、この上縁突出部１５の先端縁は、挟持体１ａ，１ｂで巻きハゼＡを挟持する際の支点となるための長さ分だけ突出させてなる。
【００１２】
また他方の挟持体１ｂは、アングル装着部１６と、雪止め板装着部１７とを備えてなり、アングル装着部１６は、前記上縁突出部１５の上方位置で、端縁部から長溝１６１を形成すると共に、長溝１６１の底縁に添って載せ板部１６２を設けて形成してなる。また雪止め板装着部１７は、本体１１の上縁を載せ板部１６２の上方に張り出す上板部１７１を設け、上板部１７１の前後端近傍に装着孔（螺孔）１７２を設けて形成したものである。
【００１３】
雪止め板２は、雪止め板部２１と、連結部２２からなり、雪止め板部２１は、雪止め機能を発揮するのに充分な面積を備えた板体で、必要に応じて下縁部を折曲して安定板２１１としたり、巻きハゼＡに接触しないような切欠部２１２を設けてなる。連結部２２は、雪止め板部２１の上縁を背後に折曲して、且つ前記上板部１７１の幅に対応して両側を下方に折曲し、前記上板部１７１を被覆する伏せ箱形状に形成し、前記装着孔１７に対応する装着孔２２１を設けてなる。
【００１４】
また貫通ボルト３は、挟持体１ａ，１ｂの各ボルト孔１４を貫通するもので、緊締ナット４は、前記貫通ボルト３に螺合でき、止着ボルト５は、装着孔１７２に螺合できるものである。
【００１５】
而して屋根の巻きハゼＡ部分の左右に両挟持体１ａ，１ｂを配置して、貫通ボルト３及び緊締ナット４を以て、挟持体１ａ，１ｂで巻きハゼＡを挟持して挟持体１ａ，１ｂを固定する。そして前記の雪止め板２か或いは雪止めアングルＢを選択装着するもので、雪止め板２の場合には、前後端近傍の何れかの装着孔１７２を使用して装着するもので、特に前記のとおり連結部２２を伏せ箱状に形成すると、上板部１７１に連結部２２を被冠することで、位置決めを容易に行うことができ、止着ボルト５を、雪止め板２の装着孔２２１を通して螺孔（装着孔）１７２に緊締螺合することで、簡単に雪止め板２を装着固定できるものである。
【００１６】
また雪止めアングルＢを使用する場合には、アングルＢの水平辺板部を長溝１６１に差し入れ、螺孔（装着孔）１７２に止着ボルト５を螺合し、アングルＢの水平辺板部を載せ板部１６２に押圧することで、アングルＢを金具に固定することができる。
【００１７】
従って挟持体（金具本体）１ａ，１ｂを屋根の巻きハゼに装着固定した状態で、雪止め板２か、或いは雪止めアングルＢかの選択装着が可能であり、而も工事途中での変更もでき、特に前記の実施形態においては、アングル装着部１６を、アングルの水平辺板部を差し入れる長溝１６１とし、上板部１７１の前後端近傍に螺孔を設けることによって、雪止め板の装着固定用と、雪止めアングル固定用のいずれにも利用できる便利さがある。
【００１８】
更に前記上板部１７１と伏せ箱状とすることで、雪止め板２の着脱作業が容易になる。勿論雪止め板採用が定まっている際には、予め雪止め板を挟持体に組み込んでおいて、屋根に取り付けるようにしても良い。
【００１９】
また本発明は、前記実施形態に限定されるものではなく、アングル装着部の長溝は、アングルの水平辺板部を嵌入する構造とせずに、垂直辺板部を嵌入する上下方向の長溝を採用しても良いし、同様に雪止め板の装着も、上板部で連結せずに、本体の起立面への連結取付構造としても良い。更に上板部の装着孔を螺孔としたが、螺孔に限定されない。
【００２０】
【発明の効果】
以上のように本発明は、屋根の巻きはぜ部分を挟持する２個の挟持体（金具本体）の前後下縁を、対向挟持体側に突出させてなる挟持突縁と、前後挟持突縁の間の下縁部分を両側外方に延設して形成した安定板とを備え、更にアングル装着部と、雪止め板装着部とを設けた雪止め金具で、縦平葺きに安定良く金具本体を取り付けることができると共に、雪止め板と雪止めアングルの選択装着を容易に実施することができ、建築部材の共通化を実現したものである。
【図面の簡単な説明】
【図１】本発明の実施形態の全体の分解斜視図。
【図２】同使用状態の説明図（側面図）。
【図３】同使用状態の説明図（端面図）。
【符号の説明】
１ａ，１ｂ    挟持体
１１    本体
１２    挟持突縁
１３    安定板
１４    ボルト孔
１５    上縁突出部
１６    アングル装着部
１６１    長溝
１６２    載せ板部
１７    雪止め板装着部
１７１    上板部
１７２    装着孔（螺孔）
２      雪止め板
２１    雪止め板部
２１１    安定板
２１２    切欠部
２２    連結部
２２１    装着孔
３      貫通ボルト
４      緊締ナット
５      止着ボルト
【図１】
0004285881.tif 000002
【図２】
0004285881.tif 000003
【図３】
0004285881.tif 000004